(57)【要約】【課題】  １人の操作者が自己の対応コンテンツにおける操作画面を操作した場合においても、他の操作者の対応コンテンツの表示映像を覆い隠すことを防止することができ、さらに、構成を簡易にしてコストの削減および小型軽量化を図ることができる「表示装置」を提供すること。【解決手段】  操作者が表示画面に触れた際に、任意の一の視認位置に対応する一の対応コンテンツの映像を、当該一の視認位置からの目視画面における前記一の対応コンテンツの操作画面の操作によって他の視認位置に対応する他の対応コンテンツの映像表示に影響を与えない非抵触領域に偏在表示するための制御を行う表示制御手段１１を備えたこと。【選択図】      図１
2006091645.tif 000002
【特許請求の範囲】
【請求項１】
表示部の表示画面を当該表示画面の面法線に対して互いに異なる角度の視認位置から目視した場合に、各視認位置からの目視画面に各視認位置にそれぞれ対応する互いに異なる対応コンテンツの映像を視認し得るように前記表示画面に複数の対応コンテンツの合成映像を表示可能とされ、かつ、前記複数の対応コンテンツの少なくとも1つが、当該対応コンテンツの映像として前記目視画面にタッチパネルの操作画面を表示可能とされた表示装置において、
操作者が前記表示画面に触れた際に、任意の一の視認位置に対応する一の対応コンテンツの映像を、当該一の視認位置からの目視画面における前記一の対応コンテンツの操作画面の操作によって他の視認位置に対応する他の対応コンテンツの映像表示に影響を与えない非抵触領域に偏在表示するための制御を行う表示制御手段
を備えたことを特徴とする表示装置。
【請求項２】
前記表示制御手段は、前記一の視認位置からの目視画面における前記非抵触領域を除く領域に、前記他の対応コンテンツを偏在表示するための制御を可能とされていることを特徴とする請求項１に記載の表示装置。
【請求項３】
前記表示制御手段は、前記一の視認位置が運転席側の視認位置であり、かつ、前記一の対応コンテンツがナビゲーションである場合には、前記他の対応コンテンツを表示しないように制御することを特徴とする請求項２に記載の表示装置。
【請求項４】
前記表示制御手段は、前記操作画面の操作が完了した場合に、前記対応コンテンツの偏在表示のための制御を終了させることを特徴とする請求項１乃至請求項３のいずれか１項に記載の表示装置。
【請求項５】
前記表示制御手段は、運転席側の対応コンテンツの映像を、運転席側からの目視画面における非抵触領域としての当該目視画面における反助手席側の所定範囲の領域に表示し、助手席側の対応コンテンツの映像を、助手席側からの目視画面における非抵触領域としての当該目視画面における反運転席側の所定範囲の領域に表示するための制御を行うことを特徴とする請求項１乃至請求項４のいずれか１項に記載の表示装置。
【発明の詳細な説明】
【技術分野】
【０００１】
本発明は、表示装置に係り、特に、表示画面に、複数の異なるコンテンツの映像を表示するのに好適な表示装置に関する。
【背景技術】
【０００２】
近年、ナビゲーション装置等に用いられる表示装置においては、ナビゲーション、ＤＶＤ、テレビ等の異なる２つのコンテンツの映像を１つの表示画面に同時に表示するデュアルビューディスプレイが提案されている。
【０００３】
このようなデュアルビューディスプレイをナビゲーション装置に搭載した場合、運転席側および助手席側の操作者は、表示画面を目視することによって、それぞれ操作者からの目視画面に、互いに異なる対応コンテンツの映像を視認することができるようになっていた。
【０００４】
【特許文献１】特開平０６−１８６５２６号公報
【特許文献２】特開平０７−１０３７７８号公報
【特許文献３】特開２００４−２０６０８９号公報
【発明の開示】
【発明が解決しようとする課題】
【０００５】
ところで、従来から、デュアルビューディスプレイの表示画面には、ナビゲーションやＤＶＤにおけるメニュー選択等の操作を行うためのタッチパネルの操作画面が表示されるようになっていた。
【０００６】
そして、このような操作画面に対して、運転席および助手席の操作者は、当然に手指を触れて操作を行うことになる。
【０００７】
この結果、一方の操作者が操作画面に手指を触れる際に、他方の操作者側の目視画面における表示映像を手指によって部分的に覆い隠してしまうことがあるといった問題が生じていた。
【０００８】
また、従来は、ＤＶＤおよびナビゲーションがともに操作画面を表示している場合に、ＤＶＤの操作がなされたのか、あるいはナビゲーションの操作がなされたのかを判定するために複雑な検出装置を要するといった問題が生じていた。
【０００９】
そこで、本発明は、このような問題に鑑みなされたものであり、１人の操作者が自己の対応コンテンツにおける操作画面を操作した場合においても、他の操作者の対応コンテンツの表示映像を覆い隠すことを防止することができ、さらに、構成を簡易にしてコストの削減および小型軽量化を図ることができる表示装置を提供することを目的とするものである。
【課題を解決するための手段】
【００１０】
前述した目的を達成するため、本発明に係る表示装置の特徴は、表示部の表示画面を当該表示画面の面法線に対して互いに異なる角度の視認位置から目視した場合に、各視認位置からの目視画面に各視認位置にそれぞれ対応する互いに異なる対応コンテンツの映像を視認し得るように前記表示画面に複数の対応コンテンツの合成映像を表示可能とされ、かつ、前記複数の対応コンテンツの少なくとも1つが、当該対応コンテンツの映像として前記目視画面にタッチパネルの操作画面を表示可能とされた表示装置において、操作者が前記表示画面に触れた際に、任意の一の視認位置に対応する一の対応コンテンツの映像を、当該一の視認位置からの目視画面における前記一の対応コンテンツの操作画面の操作によって他の視認位置に対応する他の対応コンテンツの映像表示に影響を与えない非抵触領域に偏在表示するための制御を行う表示制御手段を備えた点にある。
【００１１】
そして、このような構成によれば、一の視認位置に対応する対応コンテンツを、当該一の視認位置からの目視画面における非抵触領域に偏在表示することによって、当該非抵触領域に表示された操作画面が操作されたとしても、他の視認位置に対応する他の対応コンテンツの映像表示に影響を与えないようにすることが可能となる。
【００１２】
さらに、このように、各対応コンテンツの操作画面が表示される領域を相互に抵触させないことにより、一の視認位置に対応する一の対応コンテンツの操作画面が操作されたことを、タッチパネルの座標データのみに基づいて簡便に検出することが可能となる。
【００１３】
また、本発明に係る表示装置の特徴は、表示制御手段が、一の視認位置からの目視画面における非抵触領域を除く領域に、他の対応コンテンツを偏在表示するための制御を可能とされている点にある。
【００１４】
そして、このような構成によれば、一の視認位置からの目視画面に、当該一の視認位置に対応する一の対応コンテンツと、他の視認位置に対応する他の対応コンテンツとを同時に表示することによって、一の視認位置の操作者は、他の対応コンテンツの表示映像に触れることを意識的に避けることができる。
【００１５】
これにより、他の対応コンテンツの表示映像を他の視認位置からの目視画面において目視している他の視認位置の操作者は、一の操作者の操作によって表示映像の視認を妨げられることをさらに有効に回避することが可能となる。
【００１６】
さらに、本発明に係る表示装置の特徴は、表示制御手段は、一の視認位置が運転席側の視認位置であり、かつ、一の対応コンテンツがナビゲーションである場合には、他の対応コンテンツを表示しないように制御する点にある。
【００１７】
そして、このような構成によれば、ナビゲーションの操作と車の運転とを行う運転席側の操作者には、ナビゲーション以外のコンテンツの映像を視認できないようにすることが可能となる。
【００１８】
さらにまた、本発明に係る表示装置の特徴は、表示制御手段は、操作画面の操作が完了した場合に、対応コンテンツの偏在表示のための制御を終了させる点にある。
【００１９】
そして、このような構成によれば、操作者による操作画面の操作が完了した場合に、全画面表示に切り換えることが可能となる。
【００２０】
また、本発明に係る表示装置の特徴は、表示制御手段が、運転席側の対応コンテンツの映像を、運転席側からの目視画面における非抵触領域としての当該目視画面における反助手席側の所定範囲の領域に表示し、助手席側の対応コンテンツの映像を、助手席側からの目視画面における非抵触領域としての当該目視画面における反運転席側の所定範囲の領域に表示するための制御を行う点にある。
【００２１】
そして、このような構成によれば、運転席側および助手席側の操作者がともに視認および操作し易い位置に対応コンテンツの映像を偏在表示させることが可能となる。
【発明の効果】
【００２２】
本発明に係る表示装置によれば、１人の操作者が自己の対応コンテンツにおける操作画面を操作した場合においても、他の操作者の対応コンテンツの表示映像を覆い隠すことを防止して視認性を向上することができ、さらに、構成を簡易にしてコストの削減および小型軽量化を図ることができる。
【００２３】
また、本発明に係る表示装置によれば、１人の操作者の操作画面の操作によって他の操作者の対応コンテンツの映像表示が覆い隠されることをより有効に防止することができる。
【００２４】
さらに、本発明に係る表示装置によれば、ナビゲーションの操作と車の運転とを行う運転席側の操作者は、ナビゲーション以外の映像に気を取られることを防止することができるため、運転の安全性を向上させることができる。
【００２５】
さらにまた、本発明に係る表示装置によれば、操作画面を表示している場合および操作画面を表示していない場合における視認性をともに向上させることができる。
【００２６】
また、本発明に係る表示装置によれば、運転席側からの目視画面および助手席側からの目視画面の視認性をさらに向上することができ、かつ、各目視画面に表示される対応コンテンツの操作画面の操作性をさらに向上させることができる。
【発明を実施するための最良の形態】
【００２７】
以下、本発明に係る表示装置の実施形態について、図１乃至図５を参照して説明する。
【００２８】
本実施形態における表示装置は、車載用ナビゲーション装置における表示装置として用いられるようになっている。
【００２９】
図１に示すように、本実施形態における表示装置１は、表示部２を有しており、この表示部２は、液晶表示パネル３と、この液晶表示パネル３の背面側に配設されたバックライト４と、液晶表示パネル３の前面側に配設されたタッチパネル５とによって構成されている。
【００３０】
本実施形態における表示装置１は、タッチパネル５の前面である表示画面を、表示画面の面法線に対して互いに異なる角度の２箇所の視認位置から目視した場合に、各視認位置からの目視画面に各視認位置にそれぞれ対応する互いに異なる対応コンテンツの映像を視認し得るデュアルビューディスプレイとされている。
【００３１】
なお、表示装置１の車載状態において、前記２箇所の視認位置のうちの一方の視認位置は、運転席側の視認位置となり、他方の視認位置は、助手席側の視認位置となる。
【００３２】
また、本実施形態においては、便宜上、運転席側の視認位置に対応する対応コンテンツはナビゲーションとし、助手席側の視認位置に対応する対応コンテンツはＤＶＤとする。
【００３３】
そして、ナビゲーション、ＤＶＤの両コンテンツは、それぞれ、運転席側からの目視画面（以下、「運転席側目視画面」と称する）、助手席側からの目視画面（以下、「助手席側目視画面」と称する）に、タッチパネルの操作画面を表示するようになっている。
【００３４】
また、本実施形態における表示装置１は、デュアルビュー映像合成回路７を有しており、このデュアルビュー映像合成回路７には、運転席側の対応コンテンツであるナビゲーションの映像信号と、助手席側の対応コンテンツであるＤＶＤの映像信号とが入力されるようになっている。
【００３５】
デュアルビュー映像合成回路７には、ナビゲーションおよびＤＶＤの映像信号に対応する２個のＡＤコンバータ８，９が配設されており、これらのＡＤコンバータ８，９は、入力されたアナログ映像信号をデジタル変換して回路内に出力するようになっている。
【００３６】
各ＡＤコンバータ８，９の出力側には、表示制御手段の一部を構成するフレームメモリ１０が接続されている。
【００３７】
このフレームメモリ１０は、入力されたナビゲーションの映像信号の映像データと、ＤＶＤの映像信号の映像データとを加工することにより、図２に示すように、ナビゲーション映像とＤＶＤ映像とが１ラインずつ交互に整列された合成映像を表示するためのデュアルビュー表示用の合成映像データを作成するようになっている。
【００３８】
そして、フレームメモリ１０は、作成した合成映像データを合成映像信号として液晶表示パネル３に対して出力するようになっている。
【００３９】
これによって、表示部２の表示画面に、ナビゲーションとＤＶＤとの合成映像が表示されるようになっている。そして、この合成映像を運転席側から目視した場合には、運転席側目視画面にナビゲーションの映像を視認することができ、一方、合成映像を助手席側から目視した場合には、助手席側目視画面にＤＶＤの映像を視認することができるようになっている（図３参照）。
【００４０】
なお、フレームメモリ１０には、ブルーバック（背景）表示の信号も入力されて、合成映像の作成に用いられるようになっている。
【００４１】
さらに、本実施形態において、デュアルビュー映像合成回路７の入力側には、表示制御手段の一部を構成するＣＰＵ１１が接続されており、このＣＰＵ１１の入力側には、タッチパネル５が接続されている。
【００４２】
ＣＰＵ１１には、タッチパネル５が運転席側または助手席側の操作者によって操作されることによって、タッチパネル５の検出信号が入力されるようになっており、この検出信号により、ナビゲーションまたはＤＶＤが、操作画面の操作モードになったことが検知されるようになっている。
【００４３】
ＣＰＵ１１は、操作モードの検知にともなって、合成映像の表示を、全画面表示（図３参照）から偏在表示（図４参照）に切り換えさせるための操作時映像出力切換信号をフレームメモリ１０に対して出力するようになっている。
【００４４】
フレームメモリ１０は、ＣＰＵ１１からの操作時映像出力切換信号を受けると、ナビゲーションの映像を運転席側目視画面における助手席側目視画面でのＤＶＤの映像表示に影響を与えない非抵触領域に偏在表示し、かつ、ＤＶＤの映像を助手席側目視画面における運転席側目視画面でのナビゲーションの映像表示に影響を与えない非抵触領域に偏在表示することを内容とした偏在表示用合成映像データを作成するようになっている。
【００４５】
この偏在表示用の合成映像データは、図２に示したように、ナビゲーションの映像データと、ＤＶＤの映像データとを適宜に加工することによって作成することができる。
【００４６】
フレームメモリ１０は、作成した偏在表示用の合成映像データを偏在表示用の合成映像信号として液晶表示パネル３に対して出力するようになっている。
【００４７】
これにより、運転席側目視画面における非抵触領域に表示されたナビゲーションの操作画面が運転席側の操作者によって操作されたとしても、助手席側目視画面における非抵触領域に表示されたＤＶＤの映像表示が覆い隠されることを防止することができる。
【００４８】
逆に、助手席側目視画面における非抵触領域に表示されたＤＶＤの操作画面が助手席側の操作者によって操作されたとしても、運転席側目視画面における非抵触領域に表示されたナビゲーションの映像表示が覆い隠されることを防止することができる。
【００４９】
さらに、本実施形態において、前記偏在表示用合成映像データは、図４右図に示すように、ナビゲーションの映像を運転席側目視画面における非抵触領域としての運転席側目視画面における反助手席側（図４における右側）の半分の領域に表示することに加えて、運転席側目視画面における助手席側（図４における左側）の半分の領域にＤＶＤの映像を表示することを内容の一部としている。
【００５０】
これにより、運転席側の操作者は、運転席側目視画面におけるＤＶＤの表示領域に触れることを意識的に避けることができるため、ＤＶＤの表示映像を助手席側目視画面において目視している助手席側の操作者は、運転席側の操作者によってＤＶＤの表示映像の視認を妨げられることを防止することができる。また、運転席側目視画面における運転席側の操作者が視認または操作し易い位置にナビゲーションの映像を偏在表示させることができる。
【００５１】
さらに、図４左図に示すように、前記偏在表示用合成映像データは、ＤＶＤの映像を、助手席側目視画面における非抵触領域としての助手席側目視画面における反運転席側（図４における左側）の半分の領域に表示することに加えて、助手席側目視画面における運転席側（図４における右側）の半分の領域に、ナビゲーションの映像を表示することを内容の一部としている。
【００５２】
これにより、助手席側の操作者は、助手席側目視画面におけるナビゲーションの表示領域に触れることを意識的に避けることができるため、ナビゲーションの表示映像を運転席側目視画面において目視している運転席側の操作者は、助手席側の操作者によってナビゲーションの表示映像の視認を妨げられることを防止することができる。また、助手席側目視画面における助手席側の操作者が視認または操作し易い位置にＤＶＤの映像を偏在表示させることができる。
【００５３】
なお、図４右図に示した構成に限らず、図５に示すように、運転席側目視画面には、ＤＶＤの映像を偏在表示しないようにしてもよい。
【００５４】
その場合には、運転席側の操作者がＤＶＤの映像に気を取られることはないため、運転の安全性を向上することができる。
【００５５】
上記構成に加えて、さらに、本実施形態において、ＣＰＵ１１の入力側には、操作者判定回路１２が接続されており、この操作者判定回路１２には、タッチパネル５の検出信号が入力されるようになっている。
【００５６】
そして、操作者判定回路１２は、タッチパネル５の検出信号から得た座標データに基づいて、タッチパネル５になされた操作がナビゲーションの操作画面の操作であるかＤＶＤの操作画面の操作であるかを簡便に判定することができるようになっている。
【００５７】
そして、ＣＰＵ１１は、操作者判定回路１２の判定結果に基づいて、操作がなされたナビゲーションまたはＤＶＤの映像を、当該操作にしたがって遷移させる旨の指令信号を、前記ＤＶＤの映像データまたは前記ナビゲーションの映像データを作成する作成回路（図示せず）に対して出力するようになっている。
【００５８】
さらに、本実施形態において、ＣＰＵ１１は、ＤＶＤまたはナビゲーションの操作モードが完了した場合には、前記偏在表示のための制御を終了して全画面表示に切換えるための非操作時映像出力切換信号をフレームメモリ１０に対して出力するようになっている。これにより、操作モードが完了した後は、運転席側目視画面、助手席側目視画面のそれぞれにおいてナビゲーション、ＤＶＤの映像を全画面表示することができ、操作モード完了後における視認性を向上することができる。
【００５９】
なお、操作モードが完了したか否かについては、例えば、タイマ等を用いて操作画面に対する前回の操作から所定時間内に次の操作がなされなかったか否かを判定し、所定時間内に操作がなされなかった場合には、操作モードが完了したものと判断するようにしてもよい。
【００６０】
次に、本実施形態の作用について説明する。
【００６１】
本実施形態においては、図３に示すように、運転席側目視画面、助手席側目視画面のそれぞれにおいて、ナビゲーション、ＤＶＤの映像がそれぞれ全画面表示されている状態において、運転席側および助手席側の少なくとも一方の操作者がタッチパネル５に触れると、検出信号がＣＰＵ１１に対して出力される。
【００６２】
これにより、ＣＰＵ１１は、ナビゲーションおよびＤＶＤの少なくとも一方が操作モードになったことを検知することができる。
【００６３】
次いで、ＣＰＵ１１は、操作モードを検知すると、デュアルビュー映像合成回路７のフレームメモリ１０に対して操作時映像出力切換信号を出力する。
【００６４】
この操作時映像出力切換信号を受けて、フレームメモリ１０は、運転席側目視画面における反助手席側の領域にナビゲーションの映像を、助手席側の領域にＤＶＤの映像を表示し、助手席側目視画面における反運転席側の領域にＤＶＤの映像を、運転席側の領域にナビゲーションの映像を表示することを内容とした偏在表示用の合成映像データを作成する。
【００６５】
そして、フレームメモリ１０は、作成した偏在表示用の合成映像データを表示部２に対して出力する。
【００６６】
これにより、表示部２の表示画面には、図４に示すように、運転席側目視画面および助手席側目視画面のそれぞれにおいて、ナビゲーションの映像とＤＶＤの映像とが分割表示される。
【００６７】
このとき、ナビゲーションの映像とＤＶＤの映像とは、それぞれの操作画面の操作によって他方のコンテンツの映像表示を妨げないような位置に表示されている。
【００６８】
したがって、運転席側目視画面において運転席側の操作者がナビゲーションの操作画面を操作したとしても、助手席側目視画面におけるＤＶＤの映像を運転席側の操作者の手指が覆い隠してしまうことはない。逆に、助手席側目視画面において助手席側の操作者がＤＶＤの操作画面を操作したとしても、運転席側目視画面におけるナビゲーションの映像を助手席側の操作者の手指が覆い隠してしまうことはない。
【００６９】
そして、ＣＰＵ１１は、操作画面に対する操作が一定時間なされなかった等の場合には、操作モードが完了したものと判断し、フレームメモリ１０に対して偏在表示から全画面表示に切換えるための非操作時映像出力切換信号を出力する。
【００７０】
これにより、運転席側目視画面および助手席側目視画面には、それぞれ図３に示したように、ナビゲーションの映像、ＤＶＤの映像が再び全画面表示される。
【００７１】
以上述べたように、本実施形態によれば、ナビゲーションの映像を運転席側目視画面における非抵触領域に偏在表示し、ＤＶＤの映像を助手席側目視画面における非抵触領域に偏在表示することによって、各非抵触領域に表示されたコンテンツの操作画面が操作されたとしても、他方のコンテンツの映像表示に影響を与えないようにすることができる。
【００７２】
この結果、運転席側または助手席側の操作者が自己のコンテンツにおける操作画面を操作した場合においても、相手側の操作者の対応コンテンツの表示映像を覆い隠すことを防止して互いに相手側の対応コンテンツの視認性を向上することができる。
【００７３】
また、このように、ナビゲーション、ＤＶＤの操作画面が表示される領域を相互に抵触させないことにより、いずれのコンテンツの操作画面が操作されたかを、タッチパネルの座標データのみに基づいて簡便に検出することができる。
【００７４】
この結果、操作者を検出するための複雑な機構を要せず、構成を簡易にしてコストの削減および小型軽量化を図ることができる。
【００７５】
なお、本発明は、前述した実施の形態に限定されるものではなく、必要に応じて種々の変更が可能である。
【００７６】
例えば、本発明は、ナビゲーションやＤＶＤに限らずテレビ等の前記実施形態に記載されたもの以外のコンテンツの映像を表示する場合にも有効に適用することができるものである。
【図面の簡単な説明】
【００７７】
【図１】本発明に係る表示装置の実施形態を示すブロック図
【図２】本発明に係る表示装置の実施形態において、合成映像データの作成方法の一例を示す説明図
【図３】本発明に係る表示装置の実施形態において、非操作モード時の運転席側目視画面および助手席側目視画面における全画面表示状態を示す図
【図４】本発明に係る表示装置の実施形態において、操作モード時の運転席側目視画面および助手席側目視画面における対応コンテンツの非抵触領域への偏在表示状態の一例を示す図
【図５】本発明に係る表示装置の実施形態において、操作モード時の運転席側目視画面および助手席側目視画面における対応コンテンツの非抵触領域への偏在表示状態の図４と異なる他の一例を示す図
【符号の説明】
【００７８】
１  表示装置
２  表示部
１０  フレームメモリ
１１  ＣＰＵ
【図１】
2006091645.tif 000003
【図２】
2006091645.tif 000004
【図３】
2006091645.tif 000005
【図４】
2006091645.tif 000006
【図５】
2006091645.tif 000007